(57)【要約】【課題】ブレ補正を行う光学部品をロックするロック機構への配線を改良したブレ補正装置およびこれを搭載した光学機器を提供する。【解決手段】像ブレ補正を行う光学部品１２を保持し、移動可能な保持部材１４と、前記像ブレ補正の非作動時に前記保持部材１４をロックするロック部材１６と、前記ロック部材１６に対して相対移動可能な接触端子６１，６２とを有し、前記ロック部材１６は、前記保持部材１４をロックまたはアンロック可能に当該ロック部材１６を移動させるための駆動部４２と、当該駆動部４２と導通しているパターン５８，５９とを有し、前記接触端子６１，６２は、前記パターン５８，５９に対して摺動しながら導通しているブレ補正装置。【選択図】図３
2009104000.tif 000002
【特許請求の範囲】
【請求項１】
像ブレ補正を行う光学部品を保持し、移動可能な保持部材と、
前記像ブレ補正の非作動時に前記保持部材をロックするロック部材と、
前記ロック部材に対して相対移動可能な接触端子とを有し、
前記ロック部材は、前記保持部材をロックまたはアンロック可能に当該ロック部材を移動させるための駆動部と、当該駆動部と導通しているパターンとを有し、
前記接触端子は、前記パターンに対して摺動しながら導通していることを特徴とするブレ補正装置。
【請求項２】
像ブレ補正を行う光学部品を保持し、移動可能な保持部材と、
前記保持部材に対して相対的に移動して前記保持部材をロックするロック部材と、
前記ロック部材に備えられたパターンを付勢し、前記ロック部材の移動に伴って前記パターンの上を摺動する導電性の接触端子を含むことを特徴とするブレ補正装置。
【請求項３】
請求項１又は請求項２に記載されたブレ補正装置であって、
前記光学部品は、像ブレを補正するための光学系であることを特徴とするブレ補正装置。
【請求項４】
請求項１から請求項３までの何れか１項に記載されたブレ補正装置であって、
前記接触端子に前記ロック部材のロック動作に必要な電力を供給する回路を含むことを特徴とするブレ補正装置。
【請求項５】
請求項１から請求項４までの何れか１項に記載されたブレ補正装置であって、
前記接触端子は、前記ロック部材の移動を、前記ロック部材が前記保持部材をロックする第１の位置と、前記ロック部材が前記保持部材をアンロックする第２の位置とに規制するラッチ部材を兼ねていることを特徴とするブレ補正装置。
【請求項６】
請求項１から請求項５までの何れか１項に記載されたブレ補正装置であって、
前記ロック部材は、前記保持部材に対して相対的に回転移動することにより前記保持部材と係合し、
前記パターンは、前記ロック部材の回転軸回りの側面に備えられていることを特徴とするブレ補正装置。
【請求項７】
請求項６に記載されたブレ補正装置であって、
前記接触端子は、前記ロック部材の一方側の回転方向に沿って備えられた第１の接触部と、前記ロック部材の他方側の回転方向に沿って備えられた第２の接触部とを有することを特徴とするブレ補正装置。
【請求項８】
請求項６に記載されたブレ補正装置であって、
前記第１の接触部に供給される電圧の極性は、前記第２の接触部に供給される電圧の極性とは異なることを特徴とするブレ補正装置。
【請求項９】
請求項７又は請求項８に記載されたブレ補正装置であって、
前記第１の接触部と前記第２の接触部とは対称形状であることを特徴とするブレ補正装置。
【請求項１０】
請求項１〜８のいずれかに記載のブレ補正装置を含む光学機器。
【発明の詳細な説明】
【技術分野】
【０００１】
本発明は、ロック機構を備えたブレ補正装置および光学機器に関する。
【背景技術】
【０００２】
カメラなどの光学装置において、撮影者のいわゆる“手ブレ”等、撮影機材に加わる振動に起因する撮影の失敗を防止することを目的とする装置が数多く提案されている。
【０００３】
その中で、撮影機材に加わる振動を検出し、その検出値から像ブレ量を算出し、この像ブレ量を打ち消すように光学部品の一部を制御駆動することにより、像ブレの無い像を得ることを目的としたブレ補正装置が開発されている。このような補正装置の一例として、光軸にほぼ垂直な面内であるＸ方向およびＹ方向へ並進可能であって、２自由度の駆動制御が可能な補正レンズを有するものが挙げられる。
【０００４】
このような従来技術のなかには、ブレ補正の非作動持において、補正レンズを光軸に対して固定するためのロック機構が備えられているものがある。ロック機構としては、例えば光軸を中心として、所定角度回動することによって、ロック機構の内周面に補正レンズを固定するリング状のロックリングが知られている。
【０００５】
また、前記ロックリング回動させる駆動部としては、補正レンズの駆動部としても用いられているＶＣＭ（Voice Coil Motor）を使用するものが知られている。ＶＣＭは、磁場中におけるコイルに電流を流すことにより発生するローレンツ力を、駆動力として利用する電磁アクチュエータであり、永久磁石、コイル、およびヨークから成る。
【０００６】
また、ＶＣＭを用いたロックリングでは、ロックリングを回動させるために、当該ロックリングに備えられたコイルに電流を流さなければならない。この際、レンズ鏡筒の鏡胴に対する回動部であるロックリングと、非回動部であるブレ補正装置基部とをつなぐ配線に関する従来技術としては、例えば、ＦＰＣ（Flexible Printed Circuits）によってロックリングとハード基板を引き回すものが知られている（たとえば特許文献１等）。
【０００７】
従来技術では、ブレ補正装置が収納される極めて限定された狭い空間内に、ＦＰＣの撓み部分を形成しなければならない。したがって、ロックリングからハード基板へのＦＰＣの引き回しが複雑となり、引き回されるＦＰＣ支持するロックリング等の形状も複雑になるという問題が発生している。
【０００８】
また、従来技術は、ＦＰＣを支持するロックリングの形状等が複雑であるため、これらの部品の成形は難易度が高く、コスト高になるだけでなく、成形後の耐久性にも課題を有している。さらに、ＦＰＣの曲げ伸ばしによって、ＦＰＣ自体およびＦＰＣとの接点に負荷が掛かりやすく、この点でも信頼性および耐久性にも問題が生じている。
【特許文献１】特開平１０−２６７８２
【発明の開示】
【発明が解決しようとする課題】
【０００９】
本発明は、このような課題に鑑みてなされ、その目的は、ブレ補正を行う光学部品をロックするロック機構への配線を改良したブレ補正装置およびこれを搭載した光学機器を提供することである。
【課題を解決するための手段】
【００１０】
上記課題を解決するために、本発明に係るブレ補正装置（１０）は、像ブレ補正を行う光学部品（１２）を保持し、移動可能な保持部材（１４）と、
前記像ブレ補正の非作動時に前記保持部材（１４）をロックするロック部材（１６）と、
前記ロック部材（１６）に対して相対移動可能な接触端子（６１，６２，８０ａ，８０ｂ）とを有し、
前記ロック部材（１６）は、前記保持部材（１４）をロックまたはアンロック可能に当該ロック部材（１６）を移動させるための駆動部（４２）と、当該駆動部（４２）と導通しているパターン（５８，５９）とを有し、
前記接触端子（６１，６２，８０ａ，８０ｂ）は、前記パターン（５８，５９）に対して摺動しながら導通している。
【００１１】
また、例えば、本発明に係るブレ補正装置は、像ブレ補正を行う光学部品（１２）を保持し、移動可能な保持部材（１４）と、
前記保持部材（１４）に対して相対的に移動して前記保持部材（１４）をロックするロック部材（１６）と、
前記ロック部材（１６）に備えられたパターン（５８，５９）を付勢し、前記ロック部材（１６）の移動に伴って前記パターン（５８，５９）の上を摺動する導電性の接触端子（６１，６２，８０ａ，８０ｂ）を含んでいてもよい。
【００１２】
また、例えば、前記光学部品は、像ブレを補正するための光学系（１２）であってもよい。
【００１３】
また、例えば、本発明に係るブレ補正装置は、前記接触端子（６１，６２，８０ａ，８０ｂ）に前記ロック部材（１６）のロック動作に必要な電力を供給する回路を含んでいてもよい。
【００１４】
また、例えば、前記接触端子（６１，６２）は、前記ロック部材（１６）の移動を、前記ロック部材（１６）が前記保持部材（１４）をロックする第１の位置と、前記ロック部材（１６）が前記保持部材をアンロックする第２の位置とに規制するラッチ部材（６１，６２）を兼ねていてもよい。
【００１５】
また、例えば、前記ロック部材（１６）は、前記保持部材（１４）に対して相対的に回転移動することにより前記保持部材（１４）と係合し、
前記パターン（５８，５９）は、前記ロック部材（１６）の回転軸回りの側面に備えられていてもよい。
【００１６】
また、例えば、前記接触端子（６１，６２）は、前記ロック部材（１６）の一方側の回転方向に沿って備えられた第１の接触部（６１ａ）と、前記ロック部材の他方側の回転方向に沿って備えられた第２の接触部（６１ｂ）とを有していてもよい。
【００１７】
また、例えば、前記第１の接触部（６１ａ）に供給される電圧の極性は、前記第２の接触部（６１ｂ）に供給される電圧の極性とは異なっていてもよい。
【００１８】
また、例えば、前記第１の接触部（６１ａ）と前記第２の接触部（６１ｂ）とは対称形状であってもよい。
【００１９】
また、本発明に係る光学機器は、いずれかの上記ブレ補正装置を含む。
【００２０】
なお上述の説明では、本発明をわかりやすく説明するために実施形態を示す図面の符号に対応づけて説明したが、本発明は、これに限定されるものでない。後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【発明を実施するための最良の形態】
【００２１】
以下、本発明を、図面に示す実施形態に基づき説明する。
図１は、本願発明に係るブレ補正装置を搭載したカメラの断面図、
図２は、図１のカメラに搭載された本願の第１実施形態に係るブレ補正装置の拡大断面図、
図３は、図２に示すブレ補正装置の光軸方向からの平面図、
図４は、図２および図３に示すブレ補正装置の要部分解斜視図、
図５は、図２および図３に示すブレ補正装置の要部拡大斜視図、
図６は、図２および図３に示すブレ補正装置に備えられたラッチバネ部分に関する拡大図、
図７は、本発明の第２実施形態に係るブレ補正装置の光軸方向からの平面図である。
第１実施形態
【００２２】
図１に示すように、本発明の一実施形態に係るデジタル一眼レフカメラは、カメラボディ１とレンズ鏡筒２とを有し、カメラボディ１には、レンズ鏡筒２が着脱可能に取り付けてある。レンズ鏡筒２の鏡胴３内部には、図示省略してある焦点調整レンズ等の他のレンズ群とともに、像ブレ補正装置１０が配置されている。
【００２３】
像ブレ補正装置１０は、鏡筒内の他のレンズ群と同様に、光軸Ｉに対して略垂直に配置されており、鏡筒２内部に入射した被写体光は、像ブレ補正装置１０等を透過し、カメラボディ１の筐体４内に設置された撮像素子６に導かれる。
【００２４】
なお、本実施形態では、像ブレ補正装置１０を一眼レフカメラに適用した例によって説明を行うが、本発明の像ブレ補正装置を備える光学機器としてはこれに限られず、コンパクトカメラやビデオカメラ等の他の光学機器であってもよい。
【００２５】
また、本願において光軸Ｉとは、レンズ鏡筒２の鏡胴３内部に設置され、被写体光を撮像素子６に導く一連のレンズ群が共有している光軸を意味する。ただし、像ブレ補正装置１０に備えられるブレ補正レンズ群１２の光軸ｘは、前記光軸Ｉに対して移動することができる。各図面では、光軸Ｉと平行な方向をＺ軸方向、光軸Ｉと直交する方向のうちカメラの上下方向をＹ軸方向、Ｚ軸方向およびＹ軸方向と直交する方向をＸ軸方向として説明を行う。
【００２６】
図２は、レンズ鏡筒２の鏡胴３内部に配置されたブレ補正装置１０を拡大して示したものであり、本発明の第１実施形態に係る像ブレ補正装置１０の拡大断面図である。本実施形態に係る像ブレ補正装置１０は、ブレ補正レンズ群１２と、当該ブレ補正レンズ群１２を保持するレンズ保持枠１４と、ロックリング１６と、ベース部材１８とからなる。ブレ補正装置１０を構成するこれらの部材は、図２に示すように、光軸Ｉに対して略垂直に配置されている。
【００２７】
ベース部材１８は、図１の鏡胴３の内壁面に対して固定されており、ブレ補正装置１０を構成する他の部材を、接触もしくは非接触で支持している。ベース部材１８は、それぞれが略円環形状である第１ベース部材１８ａ，第２ベース部材１８ｂおよび第３ベース部材１８ｃを有する。これらの各部材は、第１ベース部材１８ａ、第２ベース部材１８ｂ、第３ベース部材１８ｃの順に、被写体光の進行方向に沿って配列されており、第１〜第３ベース部材１８ａ，１８ｂ，１８ｃが配置された光軸方向の空間内に、ブレ補正レンズ群１２を保持するレンズ保持枠１４と、ロックリング１６が収納されている。
ブレ補正レンズ群およびレンズ保持枠
【００２８】
第３ベース部材１８ｃには、像ブレ補正用ボイスコイルモータを構成する第１マグネット２２および第１ヨーク２４が備えられている。第２ベース部材１８ｂには、第３ベース部材１８ｃの前記マグネット２２に対して、レンズ保持枠１４に備えられたブレ補正用コイル４０を光軸方向に挟んで、第２ヨーク２６が配置されている。このように、第３ベース部材１８ｃに配置された第１マグネット２２および第１ヨーク２４と、第２ベース部材１８ｂに配置された第２ヨーク２６は、レンズ保持枠１４に備えられたブレ補正用コイル４０の周りに磁場を形成している。
【００２９】
本実施形態の像ブレ補正装置１０は、ブレ補正用コイル４０に流れる電流を、鏡胴３内に設置された振動センサ（不図示）からの信号に応じて変化させることができる。ブレ補正用コイル４０に流れる電流を制御することによって、当該像ブレ補正装置１０は、形成された磁場との間に発生する任意の大きさのローレンツ力を、ブレ補正用コイル４０に作用させることができる。これによって、ブレ補正用コイル４０、マグネット２２およびヨーク２４，２６によって構成される像ブレ補正用ボイスコイルモータは、レンズ保持枠１４およびブレ補正レンズ群１２を、光軸Ｉに対して略垂直な平面に沿ってＹ方向に移動させることができる。
【００３０】
また、本実施形態に係る像ブレ補正装置１０は、ブレ補正レンズ群１２を、光軸Ｉに対して略垂直な平面に沿ってＸ方向に移動させるための他の像ブレ補正用ボイスコイルモータをさらに備えている。したがって、ブレ補正レンズ群１２は、振動センサからの信号に応じて、光軸Ｉに対して略垂直な平面内を、任意の方向に動くことができる。
【００３１】
図３は、光軸Ｉ方向から見た像ブレ補正装置１０の平面図である。なお、第１ベース部材１８ａは省略してある。図３に示すように、ブレ補正レンズ群１２は、不図示の振動センサが振動を検知していない状態では、ロックリング１６および第２ベース部材１８ｂに対して、中心が略一致するようにレンズ保持枠１４によって保持されている。
【００３２】
レンズ保持枠１４は、その内周面によってブレ補正レンズ群１２を保持できるように、略円形のリング形状を有している。レンズ保持枠１４の外周側面上には、略半円形状のＸＹ断面を有し、外径方向に突出している突起部４６が形成されている。突起部４６は、図２に示すように、レンズ保持枠１４の外周側面上であって、ロックリング１６の内周面に対向する位置に配置されている。図３に示すように、本実施形態においては、８つの突起部４６が、略４５度の間隔で、レンズ保持枠１４の外周側面上に形成されている。突起部４６の先端部付近における外周側面は、ロックリング１６の内周面との係合を確実なものにするため、弾性部材４６ａによって覆われている。
ロックリング
【００３３】
ロックリング１６は、図４に示すように、リング形状のリング本体部５０と、リング本体部５０の外周側面の一部から外径側に張り出して形成されるコイル固定部５２および規制部材固定部５４とを有する。
【００３４】
規制部材固定部５４に備えられた規制部材５５は、図３に示すように、第２ベース部材１８ｂに備えられたロック側制限あてゴム３８ｂ，およびアンロック側制限あてゴム３８ａに接触することによって、ロックリング１６の回動範囲を規制する。コイル固定部５２には、ロックリング１６を回動させる回動用ボイスコイルモータの一部を構成する回動用コイル４２が取り付けられている。
【００３５】
ロックリング１６は、図４に示すように、第２ベース部材１８ｂに形成された複数のガイド用突起５６の内周面に、リング本体部５０の外周側面が収まるように取り付けられる。したがってロックリング１６は、第２ベース部材１８ｂに回動可能に支持される。さらに、第２ベース部材１８ｂに対して、ロックリング１６を挟むように、図２に示す第１ベース部材１８ａが取り付けられる。
【００３６】
図２の断面図に示すように、第１ベース部材１８ａには、回動用ボイスコイルモータを構成する第３マグネット２８および第３ヨーク３０が備えられている。第２ベース部材１８ｂには、第３ベース部材１８ｃのマグネット２８に対して、ロックリング１６に備えられた回動用コイル４２を挟んで、第４マグネット３２および第４ヨーク３４が配置されている。このように、第１ベース部材１８ａに配置された第３マグネット２８および第３ヨーク３０と、第２ベース部材１８ｂに配置された第４マグネット３２および第４ヨーク３４は、ロックリング１６に備えられた回動用コイル４２の周りに磁場を形成している。
【００３７】
図３および図４に示すように、ロックリング１６の内周面には、レンズ保持枠１４の突起部４６と係合してレンズ保持枠１４を固定できるように、内径側に突出した凸部４４が形成されている。
【００３８】
図３に示すように、ロックリング１６の凸部４４の第１内周面４４ａと、ロックリング１６のリング中心との距離であるロックリング小半径ｒ１は、レンズ保持枠１４の突起部４６の頂点と、レンズ保持枠１４の中心との距離である保持枠半径ｒ２と略同一である。なお、ロックリング１６のリング中心は、光軸Ｉと略一致している。
【００３９】
それに対して、凸部４４が形成されていない第２内周面４３ｂと、ロックリング１６のリング中心との距離であるのロックリング大半径ｒ３は、レンズ保持枠１４の保持枠半径ｒ２より大きい。すなわち、図２に示すように、ロックリング大半径ｒ３と保持枠半径ｒ２との間に形成されたギャップＷが、ブレ補正レンズ群１２の光軸ｘを光軸Ｉに対して移動させられる最大量を規定している。
【００４０】
また、図３に示すロックリング１６の外周側面には、第１ラッチバネ６１が係合するための第１凹部６６ａと、第２ラッチバネ６２が係合するための第２凹部６６ｂが形成されている。第１凹部６６ａは、ロックリング１６の外周側面のうち、ラッチバネ固定部７１と対向する位置に対して、アンロック動作時の回転方向（図３では時計回り）に回転した外周側面に形成されている。それに対して、第１凹部６６ａは、ロックリング１６の外周側面のうち、ラッチバネ固定部７１と対向する位置に対して、ロック動作時の回転方向（図３では反時計回り）に回転した外周側面に形成されている。
ＦＰＣ
【００４１】
ロックリング１６のリング本体部５０には、回動用コイル４２への配線として、第１中継ＦＰＣ５７が固定されている。第１中継ＦＰＣ５７は、リング本体部５０の第１ベース部材１８ａ側の表面上に、回動用コイル４２に近接する位置から、時計回りに、概ね半周にわたって設置されている。また、第１中継ＦＰＣ５７の一部は、リング本体部５０の外周側面上に折り曲げられて固定されている。
【００４２】
本実施形態における第１中継ＦＰＣ５７は、当該ＦＰＣ５７上においては互いに絶縁されている第１配線パターン５８と第２配線パターン５９とを有する。第１配線パターン５８は、光軸Ｉに垂直な面に位置する一方のパターン端部において、回動用コイル４２の一方のコイル端部４２ａと接続されている。また、第１配線パターン５８は、ロックリング１６の外周側面上に位置する他方のパターン端部において、第１ラッチバネ６１と接触している。
【００４３】
それに対して、第２配線パターン５９は、光軸Ｉに垂直な面に位置する一方のパターン端部において、回動用コイル４２の他方のコイル端部４２ｂと接続されている。また、第２配線パターン５９は、ロックリング１６の外周側面上に位置する他方のパターン端部において、第２ラッチバネ６２と接触している。
ラッチバネ
【００４４】
第１ラッチバネ６１および第２ラッチバネ６２の一方の端部は、第２ベース部材１８ｂに固定されている。第１ラッチバネ６１および第２ラッチバネ６２の他方の端部６１ａ，６２ａは、ロックリング１６の外周側面に固定された第１中継ＦＰＣ５７の上から、ロックリング１６を付勢している。ロックリング１６を付勢している当該他方の端部６１ａ，６２ａは、ロックリング１６の外周側面上に形成された凹部６６ａ，６６ｂに係合するため、ロックリング１６側に向かってＶ字状に折り返されている。
【００４５】
各ラッチバネ６１，６２は、ロックリング１６の光軸Ｉ方向の厚さと同等もしくはやや狭い幅を有する板バネであり、弾性および導電性を有する金属等によって作成されている。
【００４６】
ラッチバネ６１，６２は、ロックリング１６が、回動用コイル４２等によって構成される回動用ボイスコイルモータからの駆動力ではなく、鏡筒２に与えられた衝撃等の意図しない力によって移動することを防止している。図３に示すように、ロックリング１６がレンズ保持枠１４をロックしていないアンロック位置にある場合には、第２ラッチバネ６２の端部６２ａが、ロックリング１６の第２凹部６６ｂに係合しており、ロックリング１６が衝撃等によって回動することを規制している。また、ロックリング１６が、レンズ保持枠１４をロックしているロック位置にある場合には、第１ラッチバネ６１の端部６１ａが、ロックリング１６の第１凹部６６ａが係合し、ロックリング１６が衝撃等によって回動することを規制している。
【００４７】
なお、ロックリング１６を回動させる回動用ボイスコイルモータは、ラッチバネ６１，６２とロックリング１６の凹部６６ａ，６６ｂとの係合を解除するために必要な力を与えることができる。
【００４８】
本実施形態に係るラッチバネ６１，６２は、ロックリング１６が衝撃等によって回動することを防止するだけでなく、ロックリング１６の回動用コイル４２に電力を供給する配線を兼ねている。すなわち、図３に示すように、それぞれのラッチバネ６１，６２は、メイン基板と導通している第２中継ＦＰＣ７０の各配線パターン５８，５９に接続されている。このように、ラッチバネ６１，６２は、第２中継ＦＰＣ７０と、ロックリング１６に固定されている第１中継ＦＰＣ５７との導通を確保している。
【００４９】
図５の要部拡大図に示すように、第１中継ＦＰＣ５７は、ロックリング１６の凹部６６ａ，６６ｂ付近において、ロックリング１６の外周側面側に折り返して固定されている。また、折り返して固定されたロックリング１６の外周側面の第１中継ＦＰＣ５７には、配線パターン５８，５９が、光軸Ｉに垂直な面から連続して形成されている。
【００５０】
さらに、第１配線パターン５８は、ロックリング１６が回動した際に、第１ラッチバネ６１がロックリング１６の外周側面に配置された配線パターン５８上を摺動するように、対応するロックリング１６の外周側面を覆うように形成されている。同様に、第２配線パターン５９は、ロックリング１６が回動した際に、第２ラッチバネ６２がロックリング１６の外周側面に配置された第２配線パターン５９上を摺動するように、対応するロックリング１６の外周側面を覆うように形成されている。
【００５１】
したがって、ロックリング１６がアンロック位置にある状態、ロック位置にある状態、および両位置の間を移動している状態のすべての状態において、ラッチバネ６１，６２は、対応する各配線パターン５８，５９と導通している。
【００５２】
第１ラッチバネ６１と第２ラッチバネ６２は、図６に示すように、絶縁部材７２を介して第２ベース部材１８ｂに固定されている。本実施形態では、第１ラッチバネ６１と第２ラッチバネ６２は、第２中継ＦＰＣ７０に形成されている配線パターンに対して、配線６０ａ，６０ｂによって電気的に接続されている。第２中継ＦＰＣ７０は、鏡胴２内に設けられたメイン基板（不図示）に対して電気的に接続されている。メイン基板（不図示）にはレンズ制御部が備えられており、当該レンズ制御部は、回動用コイル４２に流れる電流の大きさおよび方向を制御することができる。すなわち、本実施形態に係る第１ラッチバネ６１と第２ラッチバネ６２は、各配線パターン５８，５９を介して回動用コイル４２に電圧を印加する一対の電極を構成している。
【００５３】
このように、本実施形態のロックリング１６に備えられている回動用コイル４２は、ＦＰＣ５７，７０およびラッチバネ６１，６２等を介してメイン基板に接続されている。したがって、図３に示す回動用コイル４２は、メイン基板に備えられたレンズ制御部からの指令に応じて、レンズ保持枠１４をロックまたはアンロック可能に、ロックリング１６を回動させる力を受けることができる。
【００５４】
なお、本実施形態では、ラッチバネ６１，６２と第２中継ＦＰＣ７０とを別部品とし、配線６０ａ，６０ｂによって両者を接続する構成としているが、本発明はこのような構成に限定されず、ラッチバネ６１，６２と第２中継ＦＰＣ７０とが一体化していてもよい。
ロック・アンロック動作
【００５５】
図３を用いて、ロックリング１６の動作を説明する。図３に示す状態では、ロックリング１６は、レンズ保持枠１４をアンロック（ロック解除）しているアンロック位置にある。アンロック位置では、レンズ保持枠１４の突起部４６は、ロックリングの凸部４４が形成されていない第２内周面４３ｂと対向している。第２内周面４３ｂに対応するロックリング大半径ｒ３は、保持枠半径ｒ２より大きいため、レンズ保持枠１４は、光軸に垂直なＸＹ平面を移動し、ブレ補正動作を行うことができる。
【００５６】
また、アンロック位置では、第２ラッチバネ６２のＶ字状に折り返された端部６２ａが、ロックリング外周側面に形成されている凹部６６ｂに係合しており、ロックリング１６が衝撃等によって、回動することを規制している。また、アンロック位置では、ロックリング１６の規制部材５５の一方の側面５５ａが、第２ベース部材１８ｂに備えられたアンロック側制限あてゴム３８ａに接触している。これによって、ロックリング１６は、これ以上アンロック側（図３では時計回り）に回転しないように規制されている。
【００５７】
ロックリング１６をアンロック位置からロック位置に移動させる時には、レンズ制御部（不図示）が、メイン基板（不図示）で、第２中継ＦＰＣ７０の各配線に対して、所定の電圧を与える。ロックリング１６の回動用コイル４２は、ラッチバネ６１，６２およびＦＰＣ５７，７０等を介してメイン基板と導通している。したがって、レンズ制御部（不図示）は、所定の電圧を与えることによって、回動用コイル４２に所定方向の電流を流すことができる。この場合、第１ラッチバネ６２によって第１配線パターン５８に供給される電圧の極性は、第２ラッチバネ６２によって第２配線パターン５９に供給される電圧の極性とは異なる。
【００５８】
回動用コイル４２に電流が流れると、回動用コイル４２は、ベース部材１８ａ，１８ｂに備えられたマグネット２８，３２およびヨーク３０，３４によって形成されている磁場によって、ロックリング１６をロック側（図３では反時計回り）に回動させる力を受ける。
【００５９】
ロックリング１６がアンロック位置からロック位置に移動している間も、ラッチバネ６１，６２のＶ字状に折り返された端部６１ａ，６１ｂは、ロックリング１６の外周側面に形成された配線パターン５８，５９に対して摺動しながら導通している。したがって、本実施形態におけるブレ補正装置では、ロックリング１６の回動中においても、回動用コイル４２に電流を流し続けることができる。
【００６０】
以上のように、回動用コイル４２に所定方向の電流を流すことによって、ロックリング１６は、アンロック位置からロック位置に移動する。ロック位置では、レンズ保持枠１４の突起部４６は、ロックリングの凸部４４が形成されている第１内周面４４ａと対向している。第１内周面４４ａに対応するロックリング小半径ｒ１は、保持枠半径ｒ２と略同一であるため、レンズ保持枠１４は、ブレ補正レンズ群１２の光軸ｘが光軸Ｉとが略一致する位置に固定される。
【００６１】
なお、ロックリング１６が、レンズ保持枠１４を先述のように固定することによって、ブレ補正用ボイスコイルモータに電流が流れていない状態でも、ブレ補正レンズ群１２の光軸ｘが光軸Ｉとが略一致する位置に、当該ブレ補正レンズ群１２を保持できる。これによって、撮影開始時等に実施される各レンズ群のセンタリングにおいて、ブレ補正レンズ群１２を移動させる必要がほとんどなく、像の揺らぎ等によって撮影者が感じる不快感を抑制できる。
【００６２】
また、ロック位置では、第１ラッチバネ６１のＶ字状に折り返された端部６１ａが、ロックリング１６外周側面に形成されている凹部６６ａに係合し、ロックリング１６が衝撃等によって、回動することを規制する。また、ロック位置では、ロックリング１６の規制部材５５の一方の側面５５ｂが、第２ベース部材１８ｂに備えられたロック側制限あてゴム３８ｂに接触する。これによって、ロックリング１６は、これ以上ロック側（図３では反時計回り）に回動しないように規制される。
【００６３】
ロックリング１６をロック位置からアンロック位置に移動させる時は、回動用コイル４２に流す電流の方向を、アンロック位置からロック位置に移動させる時と逆向きにすれば良い。すなわち、ラッチバネ６１，６２から配線パターン５８，５９に供給される電圧の極性を、アンロック位置からロック位置に移動させる時と反転させることによって、ロックリング１６をアンロック側に回動させることができる。
本実施形態に係る発明の効果
【００６４】
本実施形態に係るブレ補正装置では、ラッチバネ６１，６２が、ロックリング１６に固定された第１中継ＦＰＣ５７の配線パターン５８，５９と摺動しながら導通しているため、ＦＰＣの撓み部分を形成する必要がない。したがって、本実施形態に係るブレ補正装置は、第１中継ＦＰＣ５７の引き回しが簡単であり、ロックリング１６の回動用コイル４２からベース部材１８への配線がシンプルである。第１中継ＦＰＣ５７の引き回しが簡単であるため、ロックリング１６の形状を単純にでき、ロックリング１６の成形の難易度を低下させることができる。また、本実施形態のロックリング１６は、形状が単純であるため、耐久性に優れている。
【００６５】
さらに、本実施形態に係るブレ補正装置では、ロックリング１６を回動させる際におけるＦＰＣの曲げ伸ばしもないため、ＦＰＣ自体およびＦＰＣとの他部品との接点にかかる負荷を低減できる。
【００６６】
また、本実施形態に係るラッチバネ６１，６２は、ロックリング１６が衝撃等によって意図しない回動を発生することを防止できる。本実施形態では、ラッチバネ６１，６２は、ロックリング１６への配線と、ラッチバネを兼ねているため、ラッチバネとしての機能のみを有するラッチバネを使用する従来技術に係るブレ補正装置に対して、部品数を減少させることができる。したがって、本実施形態に係るブレ補正装置は、構造がシンプルであり、製造も容易である。
【００６７】
また、本実施形態に係る第１ラッチバネ６１の端部６１ａは、光軸Ｉとラッチバネ固定部７１とを結ぶ軸を対称軸として、第２ラッチバネ６２の端部６２ｂに対して略対象に配置されている。したがって、ラッチバネ６１，６２がロックリング１６を付勢する力を分散させることができ、ロックリング１６の回動がスムーズである。
第２実施形態
【００６８】
図６は、本発明の第２実施形態に係るブレ補正装置の光軸方向からの平面図である。本実施形態では、第１中継ＦＰＣ５７の配線パターン５８，５９は、ラッチバネ６１，６２とは導通しておらず、代わりに第１ベース部材１８ａに設置された電極端子８０を有している。第１ベース部材１８ａに設置された電極端子８０は、ロックリング１６のＦＰＣを、光軸Ｉ方向に付勢している。また、図６には図示しない第２中継ＦＰＣは、第１ベース部材１８ａに固定されており、前記電極端子８０と電気的に接続されている。第２実施形態に係るその他の構成は、第２実施形態と同様である。
【００６９】
第１中継ＦＰＣ５７は、ロックリング１６の表面のうち、光軸Ｉに垂直かつ第１ベース部材１８ａ側の表面に固定されている。第１中継ＦＰＣ５７は、回動用コイル４２の一方のコイル端部４２ａと接続されている第１配線パターン５８と、回動用コイル４２の他方のコイル端部４２ｂと接続されている第２配線パターン５９とを有する。電極端子８０の第１先端部８０ａは、ロックリング１６の表面に配置された第１配線パターン５８と接触しており、電極端子８０の第２先端部８０ｂは、第１配線パターン５８と併設されている第２配線パターン５９と接触している。
【００７０】
本実施形態では、電極端子８０の各先端部８０ａ，８０ｂは、不図示の第２中継ＦＰＣに形成されている配線パターンに対して、電気的に接続されている。第２中継ＦＰＣは、鏡胴２内に設けられたメイン基板（不図示）に対して電気的に接続されている。メイン基板（不図示）にはレンズ制御部が備えられており、当該レンズ制御部は、回動用コイル４２に流れる電流の大きさおよび方向を制御することができる。すなわち、本実施形態に係る電極端子８０の先端部８０ａ，８０ｂは、各配線パターン５８，５９等を介して、回動用コイル４２に電圧を印加する一対の電極を構成している。
【００７１】
図７に示す状態で、ロックリング１６は、レンズ保持枠１４をロックしていないアンロック位置にある。この状態で、電極端子８０の第１先端部８０ａは、第１配線パターン上の位置Ｐ１において、当該第１配線パターン５８を付勢している。また、電極端子８０の第２先端部８０ｂは、第２配線パターン５９上の位置Ｐ３において、当該第２配線パターン５９を付勢している。
【００７２】
ロックリング１６がアンロック位置からロック位置に移動した場合、第１先端部８０ａは、第１配線パターン５８上を、位置Ｐ１から位置Ｐ２まで摺動する。それに対して、第２先端部８０ｂは、第２配線パターン５９上を、位置Ｐ３から位置Ｐ４まで摺動する。
【００７３】
このように、ロックリング１６がアンロック位置にある状態、ロック位置にある状態、および両位置の間を移動している状態のすべての状態において、各先端部８０ａ，８０ｂは、対応する各配線パターン５８，５９と導通している。したがって、第２実施形態に係る像ブレ補正装置も、ロックリング１６の回動用コイル４２に所定の大きさおよび方向の電流を流すことによって、ロックリング１６をアンロック位置とロック位置との間で移動させることができる。
【００７４】
本実施形態に係るブレ補正装置では、各先端部８０ａ，８０ｂが、ロックリング１６に固定された第１中継ＦＰＣ５７の配線パターン５８，５９と摺動しながら導通しているため、ＦＰＣの撓み部分を形成する必要がない。したがって、本実施形態に係るブレ補正装置は、第１中継ＦＰＣ５７の引き回しが簡単であり、ロックリング１６の回動用コイル４２からベース部材１８への配線がシンプルである。また、本実施形態では、第１中継ＦＰＣ５７が、光軸Ｉに垂直かつ第１ベース部材側のロックリング１６表面のみに固定されており、第１中継ＦＰＣ５７の引き回しがさらに簡単である。
【００７５】
第１中継ＦＰＣ５７の引き回しが簡単であるため、ロックリング１６の形状を単純にでき、ロックリング１６の成形の難易度を低下させることができる。また、本実施形態のロックリング１６は、形状が単純であるため、耐久性に優れている。
【００７６】
あるいは、本実施形態に係るブレ補正装置では、ロックリング１６を回動させる際におけるＦＰＣの曲げ伸ばしもないため、ＦＰＣ自体およびＦＰＣと他部品との接点にかかる負荷を低減できる。
その他の実施形態
【００７７】
第１実施形態および第２実施形態では、手ブレ補正を行う光学部品はブレ補正レンズ群１２であったが、本発明はこれに限られず、手ブレ補正を行う光学部品は、撮像素子等の他の光学部品であってもよい。
【００７８】
また、ラッチバネ６１，６２または電極端子８０等の接触端子によって、ＦＰＣ等を介して電気的に接続される部材としては、回動用コイル４２に限定されず、ロックリング１６上に設置された他の部品であってもよく、また、複数の部品であっても良い。
【００７９】
その他、ラッチバネ６１，６２等の接触端子の固定場所としては、ベース部材１８上に限定されず、例えば、ロックリング１６に近接する鏡胴２等に固定してもよい。さらに、上述の実施形態では、ロックリング１６上の配線手段として、ＦＰＣを用いているが、特にこれらに限定されず、ロックリング１６上で配線を行うものであればなんでもよい。また、ラッチバネ６１，６２または電極端子８０とメイン基板を電気的に接続する配線についても、鏡胴２内部の設計に応じて適切な方法を選択できる。
【図面の簡単な説明】
【００８０】
【図１】図１は、本願発明に係るブレ補正装置を搭載したカメラの断面図である。
【図２】図２は、図１のカメラに搭載された本願の第１実施形態に係るブレ補正装置の拡大断面図である。
【図３】図３は、図２に示すブレ補正装置の光軸方向からの平面図である。
【図４】図４は、図２および図３に示すブレ補正装置の要部分解斜視図である。
【図５】図５は、図２および図３に示すブレ補正装置の要部拡大斜視図である。
【図６】図６は、図２および図３に示すブレ補正装置に備えられたラッチバネ部分の拡大図である。
【図７】図７は、本発明の第２実施形態に係るブレ補正装置の光軸方向からの平面図である。
【符号の説明】
【００８１】
２…  レンズ鏡筒
３…  鏡胴
１０…  像ブレ補正装置
１２…  ブレ補正レンズ群
１４…  レンズ保持枠
１６…  ロックリング
４２…  回動用コイル
５８…  第１配線パターン
５９…  第２配線パターン
６１…  第１ラッチバネ
６２…  第２ラッチバネ
８０ａ…  第１先端部
８０ｂ…  第２先端部
【図１】
2009104000.tif 000003
【図２】
2009104000.tif 000004
【図３】
2009104000.tif 000005
【図４】
2009104000.tif 000006
【図５】
2009104000.tif 000007
【図６】
2009104000.tif 000008
【図７】
2009104000.tif 000009